(57)【特許請求の範囲】
【請求項１】
異なる眼科診断機能を有する複数の手持ち式眼科診断機器と、
前記各眼科診断機器を交換して着脱自在に支持する支持台と、
前記支持台を空間的に移動させる移動手段と、
を有することを特徴とする眼科診断装置。
【請求項２】
手持ち式眼科診断機器と、
前記眼科診断機器を着脱自在に支持し、眼科診断機器を支持したとき眼科診断機器との間に機械的な結合のみをもたらす支持台と、
前記支持台を空間的に移動させる移動手段と、
を有することを特徴とする眼科診断装置。
【請求項３】
異なる眼科診断機能を有する複数の手持ち式眼科診断機器と、
前記各眼科診断機器を交換して着脱自在に支持し、各眼科診断機器を支持したとき眼科診断機器との間に機械的な結合のみをもたらす支持台と、
前記支持台を空間的に移動させる移動手段と、
を有することを特徴とする眼科診断装置。
【請求項４】
前記移動手段は、支持台を水平面内で２次元的に移動させることを特徴とする請求項１から３のいずれか１項に記載の眼科診断装置。
【請求項５】
前記支持台は、垂直軸を中心に回動可能であり、かつ上下方向に移動可能であることを特徴とする請求項１から４のいずれか１項に記載の眼科診断装置。
【発明の詳細な説明】
【０００１】
【発明の属する技術分野】
本発明は、眼科診断装置、更に詳細には、手持ち式として、また据え置き型として使用可能な眼科診断機器を有する眼科診断装置に関する。
【０００２】
【従来の技術】
従来から眼科診断機器として、例えば、眼底を診断する眼底カメラ、被検眼の前眼部を診断するためのスリットランプ、被検眼の眼圧を測定する眼圧計など種々の診断機器が知られている。そして、これらの眼科診断機器は、所定の場所に据え付けて使用する据え置き型と、据え置き型の一部を省略して持ち運びができるようにし、手でもって診断ができるようにした手持ち型に分類されている。
【０００３】
また、手持ち型の眼科診断機器を据え置き型のものに着脱可能に固定できるようにし、据え置き型としても、また手持ち型としても使用できるようにした眼科装置も知られている（特開平９−１３１３１７号公報、特開平９−２３４１８４号公報）。
【０００４】
【発明が解決しようとする課題】
しかしながら、手持ち型としても、また据え置き型としても使用可能な眼科装置の場合、手持ち式の部分は、手持ち式として診断機能を果たしているが、一部の機能が据え置き型の本体部分に残存しているので、手持ち式の部分と据え置き型の部分とは、連結性が高いものになっている。したがって、他の機能を有する手持ち式の眼科診断機器を据え置き型のものに装着することはできないし、また手持ち式部分の機能と、据え置き型部分の機能を結合するために、機械的に両者を結合するほかに、電気的な接続も必要となり、結合機構が複雑になるという欠点があった。
【０００５】
したがって、本発明は、このような問題点を解決するためになされたもので、簡単な構成で、しかも容易に手持ち式として、また据え置き型として使用可能な眼科診断装置を提供することをその課題とする。
【０００６】
【課題を解決するための手段】
本発明は、上記課題を解決するために、異なる眼科診断機能を有する複数の手持ち式眼科診断機器と、前記各眼科診断機器を交換して着脱自在に支持する支持台と、前記支持台を空間的に移動させる移動手段とを有する構成を採用している。
【０００７】
また、本発明では、手持ち式眼科診断機器と、前記眼科診断機器を着脱自在に支持し、眼科診断機器を支持したとき眼科診断機器との間に機械的な結合のみをもたらす支持台と、前記支持台を空間的に移動させる移動手段とを有する構成も採用している。
【０００８】
更に、本発明では、異なる眼科診断機能を有する複数の手持ち式眼科診断機器と、前記各眼科診断機器を交換して着脱自在に支持し、各眼科診断機器を支持したとき眼科診断機器との間に機械的な結合のみをもたらす支持台と、前記支持台を空間的に移動させる移動手段とを有する構成も採用している。
【０００９】
【発明の実施の形態】
以下、図面に示す実施の形態に基づいて本発明を詳細に説明する。
【００１０】
図１及び図２には、本発明になる眼科診断装置の一実施形態が図示されている。同図において、符号１で示すものは、眼科診断装置の基台で、この基台１には支柱２、３が固定されており、この支柱２、３間には、被検者の顎が置かれる顎台４、並びに被検者の額が当てられる額当て５が取り付けられている。顎台４は、被検者の身体に合わせるために、上下に移動可能となっている。
【００１１】
基台１上には、架台６が取り付けられており、この架台６は操作レバー８を操作するごに水平面内で基台１に対してＸ及びＹ方向に移動し、また操作リング９をまわすことにより上下方向（Ｚ方向）に移動できるようになっている。また架台６には、ブロック７が固定されている。このブロック７は支持台１０を垂直軸を中心に回動可能に支持しており、支持台１０の回動はブロック７に設けられた回転止めねじ７ａにより規制されている。
【００１２】
支持台１０には、Ｕ字型の取り付け溝１０ａが形成されており、この取り付け溝１０ａを介して種々の機能を有する手持ち型の眼科診断機器を着脱可能に取り付けることができる。
【００１３】
その手持ち型の眼科診断機器の一例は、図１に示したように、スリットランプ２０である。このスリットランプ２０は、取り付け溝１０ａに挿入できる差し込み台２１が形成されており、この差し込み台２１には、ばねで外側に向けて付勢された押圧部材２１ａが取り付けられていて、差し込み台２１を支持台１０の取り付け溝１０ａに挿入すると、押圧部材２１ａは内側に押し込められ、それによりスリットランプ２０の支持台１０への挿入が可能になり、また押圧部材２１ａが外側にばね付勢されていることから、挿入が終わったところでスリットランプ２０の支持台１０への装着が確実なものになる。また、スリットランプ２０を支持台１０から取り外すときは、スリットランプ２０を引き抜くようにすれば、押圧部材２１ａが内側に引っ込むので、簡単に取り外すことができるような構造になっている。
【００１４】
また、差し込み台２１には、スリット投光部２２が軸２１ｂを中心に回動可能に取り付けられており、スリットランプ２０には、握り部２４が形成されていて、検者はこの握り部２４を把手してスリット像を投光窓２２ａを介して被検眼の前眼部に投光し、前眼部からのスリット像を接眼部２３を介して観察することができるようになっている。
【００１５】
スリットランプ２０の全体の光学系は、図３（Ａ）に図示されたごとくであり、光源としてのランプ３１からの光束は、レンズ３２により平行光束に変換された後、スリット３３、ミラー３４を経て被検者の被検眼Ｅの前眼部に照射される。スリット光により照射された前眼部の像は結像レンズ３５、接眼レンズ３６を介して検者Ｓにより観察される。
【００１６】
スリットランプ２０は、それ自体で手持ち型の眼科診断機器として機能するものであり、検者は、診断を行うときは、握り部２２を把手してランプ３１を点灯し、スリット光を被検眼の前眼部に投光し、その反射像を接眼部２３を介して観察することにより被検眼の前眼部の診断を行う。このようにスリットランプ２０は、手持ち型として機能できるので、寝たきりの老人あるいは乳幼児などの診断に適する。しかし、手持ち型であるゆえ、手ぶれにより安定した診断ができない、という欠点もある。
【００１７】
そこで、安定した信頼性のある診断を行いたい場合には、スリットランプ２０の差し込み台２１を支持台１０の取り付け溝１０ａに差し込み、スリットランプ２０を支持台１０に装着し、スリットランプ２０を機械的に支持台１０に結合する。
【００１８】
検者は、顎台４に顎を当てて着座する被検者の前眼部を手持ち式として用いる場合と同様に観察し、診断することができる。このとき、操作ノブ８、操作リング９を介して架台６を水平面内で、また上下方向に移動させ、スリット像の位置を調節することができ、またスリット投光部２２あるいは支持台１０を回動させることによりスリット像の投光方向を変化させることができる。
【００１９】
このように、スリットランプ２０は、架台６に取り付けられた支持台１０に着脱可能に取り付けることができるので、手持ち型としても、あるいは据え置き型としても使用することができ、その場合、支持台１０への結合は、機械的な結合だけであるので、据え置かれる部分の構成を簡単なものにすることができる。
【００２０】
このように、手持ち型の眼科診断機器を据え置き部分に装着するとき、単に機械的な結合だけを考えればよいので、差し込み台の形状を支持台の取り付け溝に合わせるだけで、他の機能を有する眼科診断機器を据え置き型として使用できるようになる。その例が、図２に図示されている。
【００２１】
図２では、眼科診断機器として、眼底カメラが図示されている。眼底カメラ４０は、被検眼の眼底を照明し、眼底像を撮影するもので、検者は、胴部４１を把手して指でスイッチ４３を操作し、投光窓４２を介して照明光を被検眼の眼底に投光する。そして、眼底像を接眼部４４を介して観察し、あるいは撮影部（写真カメラ、ＣＣＤカメラなど）４５で撮影する。
【００２２】
この種の眼底カメラ４０の光学系は、図３（Ｂ）に図示されており、照明光源並びに照明光学系（不図示）からの照明光が照明プリズム５１を介して被検眼Ｅの眼底に入射され、眼底からの反射光が対物レンズ５２、フォーカシングレンズ５３を通過してリターンミラー５４に入射する。リターンミラー５４で反射された反射光はミラー５５で反射された後、フィールドレンズ５６、接眼レンズ５８を介して検者Ｓに導かれ、眼底像が検者Ｓにより観察される。また、リターンミラー５４を光路から離脱させ、照明光源近傍に配置されたストロボ（不図示）を発光して眼底像をフィルムなどの記録媒体５７に記録することができる。
【００２３】
このように、眼底カメラ４０も、それ自体で手持ち型の眼科診断機器として機能し、身体が不自由な被検者などの被検眼の診断に用いられるが、手ぶれにより安定した診断ができない恐れがあるとき、あるいは据え置き型として使用したい場合は、架台６の支持台１０に眼底カメラを装着する。そのために、支持台１０の取り付け溝１０ａに挿入される差し込み台４６を備えたアダプター５０を使用する。
【００２４】
アダプター５０の差し込み台４６は、図１の差し込み台２１と同様に、ばね付勢された押圧部材４６ａを備えており、支持台１０の取り付け溝１０ａへの着脱が可能になる。更に、差し込み台４６には、支柱４７を介して取り付け枠４８が固定されている。検者は、開閉可能なカバー４９を開放して眼底カメラ４０を取り付け枠４８に取り付けた後、カバー４９のフック４９ａを鍵４８ａに引っ掛けて眼底カメラ４０をアダプター５０に固定した後、差し込み台４６を支持台１０に差し込み、眼底カメラ４０を架台６に装着し据え付ける。
【００２５】
このようにして、検者は、顎台４に顎を当てて着座する被検者の眼底を手持ち式として用いる場合と同様に観察し、ないしは撮影することができる。このとき、操作ノブ８、操作リング９を介して架台６を水平面内で、また上下方向に移動させることにより、被検眼とのアライメントを行なうことができ、また支持台１０を回動させることにより眼底像の観察及び撮影方向を変化させることができる。
【００２６】
なお、この実施形態では、アダプター５０を介して眼底カメラ４０を架台に装着するようにしたが、差し込み台を眼底カメラ部に設けるようにし、スリットランプ２０と同様にアダプターなしで、装着を行なうようにすることもできる。
【００２７】
また、スリットランプ２０、眼底カメラ４０の照明ランプないし照明光源に対する給電あるいはその他必要な部分に対する給電を行なう電源は、内蔵の電源とするか、あるいはコードにより外部から給電するようにしてもよい。外部からの給電の場合も、据え置き部を介して給電する構成ではないので、眼科診断機器を架台に挿脱するとき、電気的な挿脱が不要になるので、システム全体の構成を簡単で、安価なものにすることができる。
【００２８】
なお、上述した実施形態では、スリットランプと眼底カメラを例に取り説明したが、他の眼科診断機器、例えば眼圧計なども同様に手持ち型として構成し、これを図１、図２に示したような架台６の支持台１０に装着することにより、据え置き型として使用することができる。
【００２９】
【発明の効果】
以上説明したように、本発明では、簡単な構成で、種々の眼科診断機器が手持ち型並びに据え置き型として使用できるようになるので、広範囲な眼科診断を行なう眼科診断システムを構築することができる。
【００３０】
更に、本発明では、手持ち型として構成された眼科診断機器を据え置き型として使用するとき、据え置き部との結合が機械的な結合だけであるので、据え置き部の構成が簡単になるとともに、種々の眼科診断機器を据え置き部に装着することが可能になる。
【図面の簡単な説明】
【図１】本発明の眼科診断装置の実施形態の構成を示した斜視図である。
【図２】本発明の眼科診断装置の他の実施形態の構成を示した斜視図である。
【図３】（Ａ）はスリットランプの光学系を示した光学図、（Ｂ）は眼底カメラの光学系を示した光学図である。
【符号の説明】
１  基台
４  顎台
５  額当て
６  架台
８  操作ノブ
９  操作リング
１０  支持台
２０  スリットランプ
４０  眼底カメラ
５０  アダプター
【図１】
0004527248.tif 000002
【図２】
0004527248.tif 000003
【図３】
0004527248.tif 000004